(57)【要約】【課題】対象物を傷つけることなく、対象物表面の汚れを拭き取って表面光沢を出し、長期間にわたって使用することができるワイピング用布帛を提供すること。【解決手段】表裏の地組織８１、８２を連結糸で連結された立体繊維構造体からなるワイピング用布帛において、立体繊維構造体がダブルラッセル編地である。【選択図】図７
2016204787.tif 000002
【特許請求の範囲】
【請求項１】
表裏の地組織を連結糸で連結された立体繊維構造体からなるワイピング用布帛において、立体繊維構造体がダブルラッセル編地であることを特徴とするワイピング用布帛。
【請求項２】
両端耳部に鎖編みの編組織を有する請求項１に記載のワイピング用布帛。
【発明の詳細な説明】
【技術分野】
【０００１】
本発明は、対象物表面の汚れ（立体構造物、特に球体の汚れ）を拭き取り、表面光沢を出すためのワイピング用布帛に関するものである。
【背景技術】
【０００２】
表面を磨いて光沢を出す手段として、最も使用される道具には、電動機を駆動源とするポリシャーがあり、円形のポリシャー用バフが回転するか又は長方形のポリシャー用バフを振動する形式に大別できるが、何れも予め油脂や砥粒等からなるポリシングコンパウンドを対象物表面に塗布し、バフ面を押し当てて摺動しながらポリシングする方法であり、ポリシングコンパウンドのような余分な研磨材を必要とするので、煩雑であり、コストが高くなる。
【０００３】
すみやかに効果的に光沢を出すために、対象物質の形状・材質・希望する光沢の程度などに応じて、ポリシャー用バフの種類・押し圧力・摺動回数などを適切に選択することが重要であるが、中でもポリシャー用バフの種類の選択が最も重要である。
【０００４】
例えば、対象物質がパチンコ玉である場合、現在は布式研磨とポリ研磨があり、一般的な布研磨について、次に説明するような研磨方式がある。図５（ａ）に示すように、パチンコ玉の大きさに応じた断面半球型の玉通路Ｐ１を形成したガイドレールＰ３と、ガイドレールＰ３の表面に装着された研磨部材としての布ベルトＰ５と、ガイドレールＰ３と対向配置された搬送ベルトＰ７と、ガイドレールＰ３を搬送ベルトＰ７の方向に付勢するバネＰ９とを備えたものが知られている（特許文献１参照）。
【０００５】
布ベルトＰ５は、ガイドレールＰ３の表側全体を覆っており、パチンコ玉Ｐ１１は、その一方の側を、布ベルトＰ５を介して玉通路Ｐ１に保持されるとともに、反対側を搬送ベルトＰ７により抑えられる。この状態で搬送ベルトＰ７が揚送方向（図５（ａ）において紙面に直交する方向）に駆動されることにより、パチンコ玉Ｐ１１は、布ベルトＰ５で研磨されつつ、玉通路Ｐ１内を揚送方向に運ばれる。
【０００６】
従来の布ベルトＰ５は縮みやすいので、布ベルトＰ５が横方向に縮んで、図５（ｂ）に示すように、玉通路Ｐ１のうち、外側のものには、布ベルトＰ５で覆われていない部分が生じてしまうことがある。その結果、布ベルトＰ５で完全に覆われていない玉通路Ｐ１を搬送されるパチンコ玉Ｐ１１は玉通路Ｐ１からはみ出して金属製の側壁はＰ１３と接触して傷ついてしまい、うまく汚れを取れないことがある。また、従来の布ベルトは汚れが付着してしまうと、生地の目に汚れが詰まってしまい、それ以上拭き取ることができず、生地に付着した汚れがパチンコ玉に再転写してしまう恐れがある。そのため、頻繁に布ベルトを洗浄する必要があるが、洗浄することにより布ベルトは収縮してしまう。また、生地自体はクッション性を有していないため、パチンコ玉に均一に接触させることが困難であるため、拭き取りにムラがある。
【先行技術文献】
【特許文献】
【０００７】
【特許文献１】特開２０００−３０８７５２号公報
【発明の概要】
【発明が解決しようとする課題】
【０００８】
本発明は、上記課題を解決するためになされたものであり、その目的は、対象物を傷つけることなく、対象物表面の汚れを拭き取って表面光沢を出し、長期間にわたって拭き取り性および寸法安定性を損なうことなく使用することができるワイピング用布帛を提供することを課題とするものである。
【課題を解決するための手段】
【０００９】
本発明は、前記課題を解決するために鋭意検討をおこなった結果、次のような手段を採用するものである。
（１）表裏の地組織を連結糸で連結された立体繊維構造体からなるワイピング用布帛において、立体繊維構造体がダブルラッセル編地であることを特徴とするワイピング用布帛。
（２）両端耳部に鎖編み又は鹿の子編みの編組織を有する前記（１）に記載のワイピング用布帛。
【発明の効果】
【００１０】
本発明のワイピング用布帛は立体繊維構造体からなり、クッション性に優れているので、立体構造の対象物表面の汚れをダブルラッセル編地の網目部に収容して、汚れを再転写することなく、長期間にわったて使用することができる。また、両端耳部に鎖編み又は鹿の子編みの編組織を有することで、立体繊維構造体が伸びにくく、寸法安定性に優れている。
【図面の簡単な説明】
【００１１】
【図１】図１はパチンコ玉磨き揚送装置を前方から見た斜視図である。
【図２】図２はパチンコ玉磨き揚送装置を後方から見た斜視図である。
【図３】図３は図１をＡ−Ａ線で切断した断面図である。
【図４】図４はパチンコ玉磨き揚送装置のガイドレールを開放した状態の斜視図である。
【図５】図５は、図１とは異なるパチンコ玉磨き揚送装置のガイドレールの断面図であり、図５（ａ）は布ベルトを洗濯する前の状態を示し、図５（ｂ）は布ベルトを繰り返し洗濯した後の状態を示す。
【図６】図６は立体繊維構造体の一実施例の編組織を示す図である。
【図７】図７は立体繊維構造体の一実施例の斜視図である。
【発明を実施するための形態】
【００１２】
《ダブルラッセル編地》
ダブルラッセル編地は、ダブルラッセル編機によって編成され、表地と、裏地と、この表裏の組織を繋ぐ連結糸とで構成されるものであり、従来周知の編地である。ダブルラッセル編地には、表地および裏地の編組織として種々のものがある。例えば、２本以上の鎖編糸で編成された編糸によって、略六角形状または略菱形状の透かし目を持つメッシュ状の組織のものや、鎖編糸と挿入糸とで編成されたプレーンな組織のものもある。本発明では、表地と裏地のいずれか一方又は両方に、前記したメッシュ状組織のものを採用する。例えば、表地にメッシュ状組織を採用し、裏地にプレーンな組織を採用してもよいし、その逆であってもよい。また、表地と裏地の両方にメッシュ状組織を採用してもよい。
【００１３】
《繊維》
立体繊維構造体を構成する繊維としては、ポリエチレンテレフタレート等のポリエステル系繊維、６，６−ナイロン、６−ナイロン等のポリアミド系繊維、セルロース系再生繊維、ポリアクリロニトリル繊維、木綿、絹、ウール等の天然繊維、及びこれらの混繊繊維等が挙げられるが、加熱圧縮成形性、圧縮反発性、柔軟性等の点からポリエステル繊維を主とする繊維であることが好ましい。
【００１４】
《立体繊維構造体の特性》
本発明の立体繊維構造体は、ＪＩＳ  Ｌ  １０９６  Ｂ−１法による布帛伸度が、タテ、ヨコ共に２０〜５０％であることが好ましい。布帛伸度が２０％未満であると、クッション性が悪くなる。布帛伸度が５０％を超えると、保形性が悪くなる。
【００１５】
本発明の立体繊維構造体は、フラジール形法によって測定される通気度において、１５０ｃｃ／ｃｍ２／秒以上であることが好ましい。通気度が１５０ｃｃ／ｃｍ２／秒未満であると、クッション性が悪くなる。
【００１６】
本発明の立体繊維構造体は、ＪＩＳ  Ｌ  １０１８  カンチレバー法によって測定される布帛硬度が４０〜７０ｍｍであることが好ましい。布帛硬度が４０ｍｍ未満であると、クッション性が悪くなり、布帛硬度が７０ｍｍより大きくなると、保形性が悪くなる。
【００１７】
《連結糸》
本発明で用いる連結糸としては単糸繊度が３〜６ｄｔｅｘの糸で構成された繊度が３３〜１１０ｄｔｅｘのマルチフィラメント糸を使用することが好ましい。単糸繊度が３ｄｔｅｘ未満であると、繊維の強度および弾性力が弱いため、保形性が悪くなってしまう恐れがあり、６ｄｔｅｘより大きくなると、連結糸が硬くなって立体繊維構造体の表面に飛び出す恐れがある。また、繊度が３３ｄｔｅｘ未満であると、繊維の弾性が弱いため、保形性が悪くなる恐れがあり、１１０ｄｔｅｘより大きくなると、布帛の風合いが硬化する恐れがある。連結糸がモノフィラメントであると、成形時高温高圧をかけることにより、硬化し柔軟性が損なわれ、布帛の保形性が悪くなったり、連結糸が地組織表面に飛び出る恐れがあるため好ましくない。
【００１８】
本発明においては、単糸繊度が３〜６ｄｔｅｘの糸で構成された繊度が３３〜１１０ｄｔｅｘのマルチフィラメント糸を連結糸に用いることが好ましく、成形時に高温高圧が加えられても、連結糸が異なる角度で表裏の地組織を連結しているので、圧力が分散され、連結糸が折れることが少なく、圧縮反発性に優れる。マルチフィラメント糸を連結糸に用いることにより、同繊度のモノフィラメント糸に比べて加熱されても糸が硬化しにくいので、布帛の柔軟性が損なわれにくく、また、十分な厚み保持性や保形性や圧縮反発性を確保できる。
【００１９】
本発明の連結糸の本数は１７００〜２８００本／inch２であることが好ましく、特に、２０００〜２６００本／inch２であることが好ましい。連結糸が１７００本／inch２未満であると、圧縮反発力や保形性が損なわれる恐れがある、また、２６００本／inch２より多くなると、布帛の伸縮性が損なわれたり、柔軟性が損なわれる恐れがある。連結糸の本数は、連結糸に使用している（糸の単糸数）×（ループ数（本／inch２））×２で求められる。
【００２０】
《ループ数》
本発明の地組織のループ数は８５０〜１４００個／inch２であることが好ましく、特に、１０００〜１３００個／inch２であることが好ましい。本発明のループ数とは、立体繊維構造体の地組織の（コース数／inch２）×（ウエル数／inch２）より求められる。ループ数が８５０個／inch２未満であると、布帛の圧縮反発性および保形性が悪くなる恐れがあり、十分な強度が得られない恐れがある。ループ数が１４００個／inch２より多くなると、ループの隙間が少なくなり、布帛が硬くなったり、重くなったり、さらに、伸縮性および柔軟性が損なわれる恐れがあるので好ましくない。
【００２１】
布帛の厚みは、２〜６ｍｍが好ましい。厚みが２ｍｍ未満であると、保形性が悪くなり、圧縮反発性が損なわれる恐れがある。６ｍｍより厚くなると、布帛が重くなったり、風合いが悪くなる恐れがある。
【００２２】
本発明の立体繊維構造体の重量は、２５０ｇ／ｍ２〜３５０ｇ／ｍ２であるのが好ましく、２８０ｇ／ｍ２〜３３０ｇ／ｍ２の範囲であるのがより好ましい。２５０ｇ／ｍ２未満であると、保形性が損なわれる恐れがあり、３５０ｇ／ｍ２より重くなると、柔軟性が損なわれる恐れがある。
【００２３】
《パチンコ玉磨き揚送装置》
本発明のワイピング用布帛を好ましく適用できるパチンコ玉磨き揚送装置の一例について、図面を参照しながら説明する。図１はパチンコ玉磨き揚送装置を前方から見た斜視図、図２はパチンコ玉磨き揚送装置を後方から見た斜視図、図３は図１のＡ−Ａ線で切断した断面図、図４はガイドレールを開放した状態でのパチンコ玉磨き揚送装置の斜視図である。
【００２４】
図１〜図４において、パチンコ玉磨き揚送装置１は厚肉の鋼板で形成された支持台２の上部に支持台２と同じ材料で形成された揚送筒本体３が垂直状に立設され、揚送筒本体３の下部に位置する下部ローラ４と上部に位置する上部ローラ（図示せず）との間に掛け渡される革製の搬送ベルト６が揚送筒本体３の周囲を周回するようになっている。この下部ローラ４と上部ローラとの間には、搬送ベルト６をガイドする中間ローラ１８がローラシャフト１９に軸支されて揚送筒本体３内部に複数箇所設けられているが、この中間ローラ１８は、搬送ベルト６の周回を補助する働きをしている。
【００２５】
揚送筒本体３は、その断面形状が図３に示すように、一側面が開口した長方形形状であるが、開口面の対面側には、上記中間ローラ１８に対応する位置に、中間ローラ１８の外周面の一部が突出するように、図示しない開口部が設けられている。また、揚送筒本体３の開口面には、揚送筒カバー１３を係止するための嵌合突起部１６が開口面側に形成されている。揚送筒カバー１３を開口面に取り付けるためには、一方の嵌合突起部１６に揚送筒カバー１３の一端部に形成されたＵ字状嵌合部１４を嵌合させた後、揚送筒カバー１３の他端部に形成されたＪ字状嵌合部１５を他方の嵌合突起部１６に当接してスライド（図３の上方に向けて）させることによりＪ字状嵌合部１５を嵌合突起部１６に嵌合させ、両嵌合突起部１６の端部に取付ネジ１７を締め付けることにより揚送筒カバー１３が揚送筒本体３に固定される。揚送筒カバー１３は揚送筒本体３の全長に亘って揚送筒本体３の開口面を覆うように固定されるものであり、下部ローラ４、上部ローラ、中間ローラ１８の修理、交換時あるいは揚送筒本体３のトラブル時などに、揚送筒カバー１３を取り外して修理、交換作業あるいはトラブルに対する処置を行うことができるものである。
【００２６】
上記搬送ベルト６は、モータ内蔵の下部ローラ４の回転により揚送筒本体３の周囲を周回駆動する。搬送ベルト６に張力を付与するために、搬送ベルト６が交互に当接する第１テンションローラ８、第２テンションローラ９および第３テンションローラ１０からなるテンションローラ機構７が、下部ローラ４の上方に取り付けられている。このテンションローラ機構７のローラ８および１０は、開放閉塞することが可能となっており、主に搬送ベルト６の交換作業時に操作される。また、揚送筒本体３の下部には、流入するパチンコ玉を複数列に整列せしめる導入樋１１が固定され、揚送筒本体３の上部には、玉磨き後のパチンコ玉が排出される排出樋部４１が一体的に形成された上部屈曲樋４０が接続される。
【００２７】
導入樋１１から流入したパチンコ玉は、搬送ベルト６により下部ローラ４から上部ローラに向かって揚送された後、排出樋部４１から排出されるが、その揚送される過程で次に説明するガイドレールカバー２０に沿って設けられた布ベルト２１との摩擦力によってパチンコ玉に付着した汚れが拭き取られ、排出樋部４１からは、きれいになったパチンコ玉が排出される。導入樋１１には、図１に示すように、導入樋１１の傾斜角を調整する傾斜角調整ボルト１２が取り付けられている。傾斜角調整ボルト１２にはスプリングが設けられており、内部を流れるパチンコ玉によって導入樋１１に無理な力が加わったときでもパチンコ玉がスムーズに整列されるような構造になっている。
【００２８】
上記した揚送筒本体３の背面側には、揚送筒本体３の一側面に取り付けられた支持ヒンジ２８を介してガイドレールカバー２０が開閉自在に取り付けられている。支持ヒンジ２８は揚送筒本体３の垂直方向における数カ所に設けられている。揚送筒本体３のもう一方の側面には、止め金具２５が係止金具２６により取り付けられており、ガイドレールカバー２０には止め金具２５に対応する位置にその止め金具２５を係止するための係合突起２４が設けられている。係合突起２４は、図３に示すように、ガイドレールカバー２０の側面に一体的に形成された断面略Ｃ字状のレール溝２０ａを取付片７３と平座金５５とで挟持することにより取り付けられている。係合突起２４は段付ネジとなっており、その六角頭部をわずかに回して、取付片７３と平座金５５との挟持状態を緩めることにより、レール溝２０ａ内を上下方向に移動し、任意の位置で再固定することができる。支持ヒンジ２８は、支持ヒンジ２８の取付孔に挿通した取付ネジ３８のネジ部をガイドレールカバー２０のレール溝２０ａ内部に挿入された取付片２９のネジ孔に螺着することにより、支持ヒンジ２８と取付片２９とでガイドレールカバー２０のレール溝２０ａを挟み込む形でガイドレールカバー２０に固定される。
【００２９】
ガイドレールカバー２０の内部には、パチンコ玉の揚送通路である玉通路３１ａ〜３１ｇが形成されたガイドレール部材３０が装着されている。ガイドレールカバー２０には、その背面側に布ベルト２１の一端を係止する布ベルト固定係止部材２２と布ベルト２１の他端を引張係止する引張係止部材２３とが取り付けられ、その上端部に布ベルト２１を折り返し案内するための布ベルトローラ３７（図２参照）が設けられている。布ベルト固定係止部材２２に係止された布ベルト２１は、ガイドレールカバー２０の下端からガイドレールカバー２０の布ベルト挿入側３６を通って布ベルトローラ３７に掛け渡され、引張係止部材２３に引張係止される。
【００３０】
ガイドレールカバー２０は、揚送筒本体３に対して開閉自在に取り付けられているため、搬送ベルト６や布ベルト２１のパチンコ玉磨き揚送装置１への装着は、図４に示すように、ガイドレールカバー２０を支持ヒンジ２８の支点を中心に回転させて開くことにより行うことができる。このようにして搬送ベルト６や布ベルト２１を装着し、ガイドレールカバー２０が閉じられた状態で揚送筒本体３とガイドレールカバー２０を止め金具２５により係止することによって、搬送ベルト６や布ベルト２１が対面した状態で維持される。このようにガイドレールカバー２０が閉じられ、止め金具２５により係止された状態では、揚送筒本体３とガイドレールカバー２０との間には、隙間が形成されることとなるが、この隙間は、係止部材２６の固着位置を調整することによってその寸法を設定することができ、その設定値に応じて揚送されるパチンコ玉への圧力を変化させることができる。上記のように、ガイドレールカバー２０が閉じられ、止め金具２５により係止された状態では、搬送ベルト６と玉通路３１ａ〜３１ｇとの隙間、すなわちパチンコ玉が挟持される間隔は、通常７〜１０ｍｍ程度の設定されている。
【００３１】
このように、搬送ベルト６および布ベルト２１を装着した状態でガイドレールカバー２０を閉じ、係合突起２４に止め金具２５を係止させてガイドレールカバー２０を揚送筒本体３に装着させた後、搬送ベルト６を周回動作させることにより、布ベルト２１を介してガイドレールカバー２０の玉通路３１ａ〜３１ｇに嵌り込んだパチンコ玉が、布ベルト２１に汚れを拭き取られながら上昇する。
【００３２】
なお、営業終了時には、布ベルト固定係止部材２２を弛めて布ベルト２１が移動し得るようにした状態で、裏面上部の布ベルト２１を引っ張って未使用面をガイドレールカバー２０の前面側に位置させるようにし、その後、布ベルト固定係止部材２２と引張係止部材２３とを順次操作して布ベルト２１を係止することによって、翌日の研磨に対する準備が終了する。また、この布ベルト２１の巻取作業は、ガイドレールカバー２０を揚送筒本体３から開いた状態で行っても、あるいは閉じたままの状態でも行うことができるが、新規な布ベルトに交換する場合には、ガイドレールカバー２０を揚送筒本体３から開いた状態で行う必要がある。
【実施例】
【００３３】
以下、実施例により本発明を詳細に説明するが、本発明はこれら実施例に限定されるものではなく、本発明の技術的範囲を逸脱しない範囲において様々な変形や修正が可能である。
【００３４】
Karl Mayer & Nippon Mayer (社）製のダブルラッセル編機（型番号HDR10EEW-ST）を使用して、図６の組織図に示す編組織で編成し、エステルウーリー７５ｄｔｅｘ／１４４ｆ糸を使用して表面の網目組織を編成し、エステルウーリー１５０ｄｔｅｘ／４８ｆ糸を使用して裏面の組織を編成し、エステルウーリー１５０ｄｔｅｘ／４８ｆの連結糸を使用して表裏の中間層の組織を編成し、エステルウーリー１５０ｄｔｅｘ／４８ｆ糸を使用して両端の耳部分の組織を編成した。片方の耳部分の幅は生地幅に対して６．９％、中間層の厚みは２mmであった。
【００３５】
図６において、（イ）は表面および両端耳部の挿入編みを示し、（ロ）は表面および両端耳部の鎖編みを示し、（ハ）は表面の網目編成を示し、（ニ）は中間層を示し、（ホ）は裏面の鎖編みを示し、（ヘ）は裏面の挿入編みを示す。
【００３６】
上記のようにして得られた立体繊維構造体のループ数は、コース３０．８個／inch、ウェール２６個／inchで、厚みは２．２mmであった。また、この立体繊維構造体の連結糸の本数は２６．３本／inch２であり、立体繊維構造体の重量は５６．３４ｇ／ｍ２であった。
【００３７】
図７は、上記のようにして得た立体繊維構造体の斜視図である。図７において、８１は表面の網目組織を示し、８２は裏面組織を示し、８３は表裏の中間層を示し、８４は両端耳部を示す。
【００３８】
なお、表面、裏面、中間層および耳部分の繊度は、１５０ｄｔｅｘ／４８ｆ〜７５ｄｔｅｘ／１４４ｆの範囲を採用することができる。また、表面、裏面、中間層および耳部分の密度は、２０回コース／inch〜５０回コース／inch、１３ループウェル／inch〜２６ループウェル／inchの範囲を採用することができる。
【００３９】
また、表面の組織は、１レピートが６コースから２０コースのダブルトリコット編組織、ダブルバーコード編組織、デンビ編組織、アトラス編組織、鎖編組織、挿入組織などを採用することができる。
【００４０】
また、裏面の組織は、鎖編組織、挿入組織、クィーンズコード・ハーフ編組織、デンビ編組織、アトラス編組織、ダブルバーコード編組織などを採用することができる。なお、挿入糸は、生地にハリ、コシを持たせるため、１０針振りが好ましい（通常、３〜５針振り）。
【００４１】
また、耳部分の組織は、鎖編組織、鹿の子編組織、挿入組織、クィーンズコード編組織、シングルデンビ編組織などを採用することができる。片方の耳部分の幅は生地幅に対して５％〜１０％であるのが好ましい。
【００４２】
さらに、中間層の組織は、ダブル鎖編組織、変則ダブル鎖編組織、ガイドバー２本のダブルアトラス編組織などを採用することができる。中間層の厚みは、１．５mm〜５mmなどを採用することができる。
【００４３】
パチンコ玉に付着する汚れ成分としては、炭化水素系化合物、カルボン酸塩、エステル化合物、セルロース等の多糖類、無機塩類などを挙げることができる。そこで、以上のようにして作製した立体繊維構造体を用いて、パチンコ玉に付着した汚れをどの程度除去することができるかについて、以下に示すような実験を行った。
【００４４】
すなわち、その立体繊維構造体を図２に示すパチンコ玉磨き揚送装置１の布ベルト２１の代わりに取り付けて、パチンコ玉３３個をそのパチンコ玉磨き揚送装置で磨いた後における３３個のパチンコ玉に付着した汚れと、パチンコ玉磨き揚送装置で磨く前の３３個のパチンコ玉に付着した汚れとを比較した。その汚れの指標となる数値としては、ＡＴＰ値を測定した。ＡＴＰ（アデノシン三リン酸）はあらゆる生物に必須のエネルギー物質であり、微生物や生物に由来する汚れに含まれる。従って、ワイピング用布帛に含まれるＡＴＰおよびＡＴＰの分解により生じるＡＭＰ（アデノシン一リン酸）の量を測定することで、客観的に汚染状況を把握することができる。例えば、ホタルルシフェラーゼと、ルシフェリンと、ピルベートオルトホスフェートジキナーゼ（ＰＰＤＫ）とを含有する発光試薬を用いる。ホタルルシフェラーゼは、ＡＴＰとルシフェリンの存在下で発光するという現象がある。その際に生じるＡＭＰをＰＰＤＫを用いて再びＡＴＰに変換することにより、上記発光試薬でＡＴＰの総量に対応する発光量を得ることができる。その発光量を特定の測定器具で測定することにより、汚れ程度を把握することができる。
【００４５】
具体的には、パチンコ玉３３個を５００ｃｃのビーカーの底部に敷き詰め、超純水３０ｇをそのビーカーに注ぎ、周波数が４０ｋＨｚで出力が４０Ｗの超音波による処理をビーカー内の超純水に対して２０分間施した。そして、ビーカー内超純水を、ホタルルシフェラーゼとルシフェリンとＰＰＤＫとを含有する発光試薬との反応により発光させて、その発光量を発光量測定器具（例えば、キッコーマンバイオケミファ社製の商品名「ルミテスターPD-20」）で測定した。パチンコ玉磨き揚送装置で磨く前の３３個のパチンコ玉に対して上記超音波洗浄を施すことによって得たＡＴＰ値は２０１８（ＲＬＵ：relative light unit）であったが、パチンコ玉磨き揚送装置で磨く前の３３個のパチンコ玉に対して上記超音波洗浄を施すことによって得たＡＴＰ値は５３６（ＲＬＵ）であった。ＡＴＰ値の数値が小さいほど汚れが少ないことを示すので、パチンコ玉磨き揚送装置で磨くことによりパチンコ玉の汚れが改善されることが分かる。
【産業上の利用可能性】
【００４６】
本発明のワイピング用布帛は立体構造物の表面の汚れを拭き取る手段として適している。
【符号の説明】
【００４７】
１  パチンコ玉磨き揚送装置
６  搬送ベルト
２１  布ベルト
８１  表面の網目組織
８２  裏面組織
８３  表裏の中間層
８４  両端耳部
【図１】
2016204787.tif 000003
【図２】
2016204787.tif 000004
【図３】
2016204787.tif 000005
【図４】
2016204787.tif 000006
【図５】
2016204787.tif 000007
【図６】
2016204787.tif 000008
【図７】
2016204787.tif 000009